(57)【要約】    【課題】  従来のロール紙の交換作業はロール紙が厚く巻きついており大変重く、新しいロール紙をスプールに取り付けるのに、容易に出来ない。その為、一度スプールを地面に置き、新しいロール紙の準備が出来た後、スプールを地面に立てて持つか、又地面に置いた状態で行い、その後、画像印字装置に持ち上げて取り付ける事になる。この作業では、スプールの破損に繋がり、又地面に立てての作業は、スプールが不安定であり、又持つ場所が無い為、持ちにくい。この為、ロール紙の交換作業を、容易に行える事を目的とする。    【課題を解決するための手段】画像を形成する画像記録部と画像記録部を所定の高さに保持する脚部と、該画像記録部にロール状の記録媒体を装着する給紙部とを備えた画像記録装置において、ロール状の記録媒体を保持する部材を備え、前記保持部材は、スプールを差し込んで、前記ロール状の記録媒体を立てることで課題を解決する。    【選択図】図１
2006159867.tif 000002
【特許請求の範囲】
【請求項１】
画像を形成する画像記録部と画像記録部を所定の高さに保持する脚部と、該画像記録部にロール状の記録媒体を装着する給紙部とを備えた画像記録装置において、
ロール状の記録媒体を保持する部材を備えていることを特徴とするインクジェット方式画像記録装置。
【請求項２】
前記保持部材は、スプールを差し込んで、前記ロール状の記録媒体を立てるものであることを特徴とする請求項１のインクジェット方式画像記録装置。
【発明の詳細な説明】
【技術分野】
【０００１】
本発明は、画像記録装置に関するもので、特にロール状の記録媒体を使用することを考慮したインクジェット方式画像記録装置に関する。
【背景技術】
【０００２】
図２は従来技術の一例を示す全体構成で、１は画像印字装置（プリンタ）、２はプリンタ１を操作しやすいように所定の位置に保持するためのスタンド（脚部）である。
プリンタ１は、被記録媒体であるロール紙１０１、被ロール紙１０１をプリンタ１に取り付けるためのスプール１０９、被ロール紙１０１に画像を印字するための記録ヘッド１０２、印字に必要なインクを搭載しておくインクタンク１０３、ロール紙１０１に記録ヘッド１０２で印字する際に、ロール紙を安定した平面にするための印字プラテン１０４、画像記録部の動作指示を行うオペレーションパネル１０５、ホストコンピュータ（不図示）の指示に応じてプリント動作を判断選択するプリント制御部１０８、プリンタ１に電力を供給する電源部１０７などで構成されている。画像記録部での印字動作は、ロール紙１０１が印字プラテン１０４位置に搬送された後、所定の画像データに従い、インクタンク１０３から供給されたインクが記録ヘッド１０２から吐出され、ロール紙１０１に画像形成が行われる。画像形成は記録ヘッド１０２が、図中手前から奥方向、あるいは奥から手前方向に往復動しながら行われ、印字が終了した部位から順次ロール紙１０１が搬送ローラ１１５により送り出されて、画像記録部の外部へ印字物１０６として排出される。図示していないが、インクタンク１０３は、一例としてブラック・マゼンタ・シアン・イエロー・ライトシアン・ライトマゼンタの６種類のインクタンクで構成されている。また、記録ヘッドは各インク種に応じた６個のヘッドが搭載されている。
【０００３】
従来技術のロール紙１０１が無くなった時の交換方法、又他種類へのロール紙１０１の交換方法を示す。
【０００４】
まず画像印字装置１からスプール１０９を取り外す為、持ち上げ、スプール１０９を地面に置くか、又はスプール１０９の片側を地面に付け、スプール１０９の左右に取り付けられているスピンドル１１０の片方（取り外し可能な側）を取り外す。続きスプール１０９から、ロール紙が無くなったロール紙１０１の芯１１２を取り外し、スプール１０９とスピンドル１１０を地面に置く。
新しいロール紙１０１が用意出来ると、又スプール１０９を持ち、スプール１０９の片側を地面に付け、新しいロール紙１０１をスプール１０９に取り付ける。そして、取り外したスピンドル１１０の片方もスプール１０９に取り付け、スプール１０９を持ち上げ、画像印字装置１に取り付ける。
【０００５】
その後にロール紙１０１の先端を、プラテン１０４上にセットして印字開始の準備をする。
【発明の開示】
【発明が解決しようとする課題】
【０００６】
上記の従来技術例では、ロール紙の交換作業が行い難い。それは、新しいロール紙は、ロール紙が厚く巻きつけられていて大変重い為、新しいロール紙をスプールに取り付けるのに、片手でスプール、片手で新しいロール状の印字紙の様な作業は、容易に出来ない。この為、一度スプールを地面に置き、新しいロール紙１０１の準備が出来た後、スプールを地面に対して立てて持つか、又地面に置いた状態で、ロール紙と、続きスピンドルを取り付け、その後、スプールを持ち上げ、画像印字装置１に取り付ける事になる。このように、地面に対してスプールを立てる等の作業を行うと、スプールの破損に繋がり、又地面に立てた状態を保持しての作業は、スプールが不安定で作業し難い。それに新しいロール紙１０１が取り付けられたスプールは、重く又持つ場所が無い為、持ちにくい。
【０００７】
本発明は、ロール紙の交換作業を、容易に行える事を目的とする。
【課題を解決するための手段】
【０００８】
本発明は、上記の目的を達成するために、画像を形成する画像記録部と画像記録部を所定の高さに保持する脚部と、該画像記録部にロール状の記録媒体を装着する給紙部とを備えた画像記録装置において、
ロール状の記録媒体を保持する部材を備えていることを特徴とするインクジェット方式画像記録装置。
【０００９】
また、上記の目的を達成するために、前記保持部材は、スプールを差し込んで、前記ロール状の記録媒体を立てるものであることを特徴とする請求項１のインクジェット方式画像記録装置。
【発明の効果】
【００１０】
本発明によれば、ロール紙の交換作業をスプール立てと芯押し部材付きのスプールで行う。これにより、ロール紙が無くなった時の交換、又他種類へのロール紙１０１の交換の作業が従来の方法より、容易に行う事が実現できる。
【発明を実施するための最良の形態】
【００１１】
以下、本発明の実施の形態を図面に基づいて詳細に説明する。
【実施例１】
【００１２】
図１は本発明の全体構成を示す図で、１は画像印字装置（プリンタ）、２はプリンタ１を操作しやすいように所定の位置に保持するスタンド（脚部）で、スプール立て２０１がスタンド２の後面側に装着されている。（図１０のように、スプール立て２０１がスタンド２の前面側に装着されていてもよい）。
【００１３】
プリンタ１は、被記録媒体であるロール紙１０１、被ロール紙１０１をプリンタ１に取り付けるためのスプール１０９、被ロール紙１０１に画像を印字するための記録ヘッド１０２、印字に必要なインクを搭載しておくインクタンク１０３、ロール紙１０１に記録ヘッド１０２で印字する際に、ロール紙を安定した平面にするための印字プラテン１０４、画像記録部の動作指示を行うオペレーションパネル１０５、ホストコンピュータ（不図示）の指示に応じてプリント動作を判断選択するプリント制御部１０８、プリンタ１に電力を供給する電源部１０７などで構成されている。画像印字部での印字動作は、ロール紙１０１が印字プラテン１０４位置に搬送された後、所定の画像データに従い、インクタンク１０３から供給されたインクが記録ヘッド１０２から吐出され、ロール紙１０１に画像形成が行われる。画像形成はインクジェットヘッド１０２が、図中手前から奥方向、あるいは奥から手前方向に往復動しながら行われ、印字が終了した部位から順次ロール紙１０１が搬送ローラ１１５により送り出されて、画像記録部の外部へ印字物１０６として排出される。図示していないが、インクタンク１０３は、一例としてブラック・マゼンタ・シアン・イエロー・ライトシアン・ライトマゼンタの６種類のインクタンクで構成されている。また、記録ヘッドは各インク種に応じた６個のヘッドが搭載されている。
【００１４】
本発明のロール紙１０１が無くなった時の交換方法、又他種類へのロール紙１０１の交換方法を示す。
【００１５】
まず画像印字装置１からスプール１０９を取り外す為、スピンドル１１０の持ち手１１３を持ち、スプール１０９をスタンド２に備えてあるスプール立て２０１に立てる（図４の状態）。
【００１６】
そして、スプール立て２０１に立てたそのスプール１０９を奥までゆっくりと押す。スプール１０９を押す事で、スプール１０９端に有るロール紙１０１取り外しボタン１１１がスプール立てボタン２０２と接触して押され、ロール紙１０１の芯押し部材１１４が、ロール紙１０１の芯１１２を押す（図５の状態）。これにより、スピンドル１１０の片方（取り外し可能な側）も押され、ロール紙１０１の芯１１２とスピンドル１１０が取れ易い状態になる。
【００１７】
この状態になると、スプール１０９からスピンドル１１０の片方（取り外し可能な側）を取り外し、続きロール紙１０１の芯１１２を取り外す。
ロール紙１０１の芯１１２の換わりに新しいロール紙１０１を取り付け、取り外したスピンドル１１０の片方をスプール１０９に取り付け、スピンドル１１０を奥まで押す。
【００１８】
この状態でロール紙１０１の取り付けが完了し、スピンドル１１０を持ち、スタンド２に有るスプール立て２０１からスプール１０９を取り上げ、プリンタ１に取り付ける。
【００１９】
そしてロール紙１０１の先端を、プラテン１０４上にセットして印字開始の準備をする。
【実施例２】
【００２０】
なお、実施例１では、スプール立て２０１に立てたそのスプール１０９を押す事で、スプール１０９端に有るロール紙１０１取り外しボタン１１１がスプール立てボタン２０２と接触して押され、ロール紙１０１の芯押し部材１１４が、ロール紙１０１の芯１１２を押し、スピンドル１１０の片方（取り外し可能な側）も押され、ロール紙１０１の芯１１２とスピンドル１１０が取れ易い状態になるとした。
【００２１】
実施例２として、まずプリンタ１からスプール１０９を取り外す為、スピンドル１１０の持ち手１１３を持ち、スプール１０９をスタンド２に備えてあるスプール立て２０１に立てる（図６の状態）。そして、スプール立て２０１に立てたそのスプール１０９を奥までゆっくりと押す。スプール１０９を押す事で、スプール１０９端に有るロール紙１０１取り外しボタン１１１がスプール立てボタン２０２と接触して押され、スピンドル固定部材１１６がスプール１０９の中に入る事で、スピンドル１１０が、ロール紙１０１の芯１１２を押す。これにより、スピンドル１１０の片方も押され、ロール紙１０１の芯１１２とスピンドル１１０が取れ易い状態（図7の状態）になるとしても良い。
【実施例３】
【００２２】
まずプリンタ１からスプール１０９を取り外す為、スピンドル１１０の持ち手１１３を持ち、スプール１０９をスタンド２に備えてあるスプール立て２０１に立てる（図８の状態）。そして、スプール立て２０１に立てたそのスプール１０９を奥までゆっくりと押す。スプール１０９を押す事で、スプール１０９端に有るロール紙１０１取り外しボタン１１１がスプール立て２０１と接触して押され、スピンドル押し部材２０３がスピンドル１１０を押す事で、ロール紙１０１の芯１１２も押す。これにより、スピンドル１１０の片方も押され、ロール紙１０１の芯１１２とスピンドル１１０が取れ易い状態（図９の状態）になるとしても良い。
【図面の簡単な説明】
【００２３】
【図１】本発明の全体構成図
【図２】従来技術の全体構成図
【図３】スプールの全体図
【図４】実施例１のスプール立てにスプールを立てた状態図
【図５】実施例１の芯押し部材が芯を押した状態図
【図６】実施例２のスプール立てにスプールを立てた状態図
【図７】実施例２のスピンドル固定部材がスプールの中に入った図
【図８】実施例３のスプール立てにスプールを立てた状態図
【図９】実施例３のスピンドル押し部材がスピンドルを押した図
【図１０】本発明のスプール立てをスタンド前面側に配置した図
【符号の説明】
【００２４】
１：画像印字装置（プリンタ）
２：スタンド（脚部）
１０１：ロール紙
１０２：記録ヘッド
１０３：インクタンク
１０４：印字プラテン
１０５：オペレーションパネル
１０６：印字物
１０７：電源部
１０８：プリント制御部
１０９：スプール
１１０：スピンドル
１１１：取り外しボタン
１１２：（ロール紙１０１の）芯
１１３：（スピンドル１１０の）持ち手
１１４：芯押し部材
１１５：搬送ローラ
１１６：スピンドル固定部材
２０１：スプール立て
２０２：スプール立てボタン
２０３：スピンドル押し部材
【図１】
2006159867.tif 000003
【図２】
2006159867.tif 000004
【図３】
2006159867.tif 000005
【図４】
2006159867.tif 000006
【図５】
2006159867.tif 000007
【図６】
2006159867.tif 000008
【図７】
2006159867.tif 000009
【図８】
2006159867.tif 000010
【図９】
2006159867.tif 000011
【図１０】
2006159867.tif 000012